(57)【要約】【課題】換気風量の増大、熱交換効率の向上を確保しながら、施工性、メンテナンス性にも優れた換気装置を提供する。【解決手段】換気装置１のエレメントユニット１０は、給気経路並びに排気経路を流動する空気間で熱交換を行うエレメント１６を有し、ファンユニット５０は、エレメント１６で熱交換された給気経路側の空気を給気口を経由して建物内へ送風する給気ファン５２と、エレメント１６で熱交換された排気経路側の空気を排気口を経由して屋外へ排出する排気ファンと、を有し、エレメントユニット１０とファンユニット５０とを係脱可能に連結する連結部材９０ａを有し、エレメントユニット１０の左側面部１１ｓに、エレメント１６が着脱可能なエレメント着脱口１１ｂとエレメント着脱蓋１９を設け、ファンユニット５０の左側面部５１ｓに、給気ファン５２及び排気ファン５３を含むファンセット５４が着脱可能なファン着脱口５１ｂとファン着脱蓋５５を設けている。【選択図】図８
2020020522.tif 000002
【特許請求の範囲】
【請求項１】
屋外の空気を建物内へ取り入れる給気経路と、建物内の空気を屋外へ排出する排気経路と、を有する換気装置であって、
前記換気装置のエレメントユニットは、前記給気経路並びに前記排気経路を流動する空気間で少なくとも熱交換を行うエレメントを有し、
前記換気装置のファンユニットは、前記エレメントで熱交換された前記給気経路側の空気を給気口を経由して建物内へ送風する給気ファンと、前記エレメントで熱交換された前記排気経路側の空気を排気口を経由して屋外へ排出する排気ファンと、を有し、
前記エレメントユニットと前記ファンユニットとを係脱可能に連結する連結手段を有し、
前記エレメントユニットの側面部に、少なくとも前記エレメントが着脱可能なエレメント着脱口と、前記エレメント着脱口を開閉可能に閉塞するエレメント着脱蓋を設け、
前記ファンユニットの側面部に、少なくとも前記給気ファン及び前記排気ファンが着脱可能なファン着脱口と、前記ファン着脱口を開閉可能に閉塞するファン着脱蓋を設けた換気装置。
【請求項２】
前記連結手段が、前記エレメントユニットと前記ファンユニットとの接合部分を跨いだ状態で、前記エレメントユニット及び前記ファンユニットに着脱可能に取り付けられる連結部材である請求項１記載の換気装置。
【請求項３】
前記連結手段が、
前記エレメントユニットの前記エレメント着脱口の反対側の側面部と前記ファンユニットの前記ファン着脱口の反対側の側面部との接合部分に付設された差し込み蝶番と、
前記エレメントユニットの前記エレメント着脱口側の側面部と前記ファンユニットの前記ファン着脱口側の側面部との接合部分を跨いだ状態で前記エレメントユニット及び前記ファンユニットに着脱可能に取り付けられる連結部材である請求項１記載の換気装置。
【請求項４】
前記エレメントユニットに設けられた、前記給気経路の上流側の開口部（外気取入口）の位置若しくは前記排気経路の上流側の開口部（還気口）の位置の少なくとも一方が変更可能である請求項１〜３の何れかの項に記載の換気装置。
【請求項５】
前記給気ファン及び前記排気ファンを挟持した状態で前記ファンユニット内に装入離脱可能に配置された複数の断熱ケーシングの内部に、前記給気経路及び前記排気経路の一部を備えた請求項１〜４の何れかの項に記載の換気装置。
【請求項６】
前記給気ファン及び前記排気ファンを挟持した前記断熱ケーシングを前記ファンユニット内に装入したとき、前記断熱ケーシング内の前記給気経路及び前記排気経路を気密状態に保持する断熱材を前記ファンユニット内に配置し、
前記断熱ケーシングと前記断熱材との対向領域に、前記ファンユニットに対する前記断熱ケーシングの装入方向に沿って傾斜し、前記断熱ケーシングが前記ファンユニット内に装入されたときに互いに密着する傾斜面を設けた請求項１〜５の何れかの項に記載の換気装置。
【請求項７】
前記給気ファン及び前記排気ファンの運転制御を行う操作ボックスを、前記エレメントユニットの外面若しくは前記ファンユニットの外面に着脱可能に付設した請求項１〜６の何れかの項に記載の換気装置。
【請求項８】
前記エレメントユニット及び前記ファンユニットの角隅部に吊り金具を備えた請求項１〜７の何れかの項に記載の換気装置。
【発明の詳細な説明】
【技術分野】
【０００１】
本発明は、建物の空調設備の一部として、床下空間や天井裏空間などに配置される換気装置に関する。
【背景技術】
【０００２】
遠心ファンを用いた換気装置においては、近年、換気風量の増大並びに熱交換効率の向上が求められているが、例えば、換気風量２００ｍ3／ｈ、熱交換効率７０％以上の性能確保を実現するためには、換気装置に内蔵されている熱交換用のエレメントのサイズを大きくする必要がある。
【０００３】
しかしながら、エレメントのサイズが大きくなると、換気装置自体も大型化することとなり、搬入や据え付け時の施工性が悪くなるだけでなく、施工後のメンテナンス性も悪化するという問題がある。
【０００４】
具体的には、建物の床下空間に設置された換気装置のメンテナンスは、例えば、建物内の床面に設けられた点検口を開いて行われるが、換気装置が大型化すると、点検口を経由して換気装置を出し入れできないため、床下空間内でのメンテナンス作業となり、メンテナンス性の悪化を招くこととなる。
【０００５】
一方、本発明に関連する先行技術として、特許文献１に記載された「複合ユニットシステム」がある。この「複合ユニットシステム」は、内部にファンを有し、このファンによる送風の吹出口および吸込口を備えたファンユニットと、内部に熱交換器を備えた熱交換気ユニットと、内部に空気清浄のためのフィルターを有したフィルターユニットと、ファンユニットを制御する制御ユニットのうち、ファンユニットとその他の少なくとも１つのユニットとを組み合わせ、各ユニット間を連結接続して形態自在に一体化することを特徴とするものである。
【先行技術文献】
【特許文献】
【０００６】
【特許文献１】特開２００５−１８８８８５号公報
【発明の概要】
【発明が解決しようとする課題】
【０００７】
特許文献１に記載された「複合ユニットシステム」は、複数のユニットを組み合わせることにより、バリエーションに富んだ機能を有するシステムを建物内の設置場所の制限を受けずに設置可能となることを目的とするものである。
【０００８】
このため、「複合ユニットシステム」においては、熱交換効率の向上を目的とするエレメントの大型化を行った場合における施工性、メンテナンス性については全く考慮されておらず、施工性、メンテナンス性を確保する手段も有していない。
【０００９】
そこで、本発明が解決しようとする課題は、換気風量の増大、熱交換効率の向上を確保しながら、施工性、メンテナンス性にも優れた換気装置を提供することにある。
【課題を解決するための手段】
【００１０】
本発明に係る換気装置は、
屋外の空気を建物内へ取り入れる給気経路と、建物内の空気を屋外へ排出する排気経路と、を有する換気装置であって、
前記換気装置のエレメントユニットは、前記給気経路並びに前記排気経路を流動する空気間で少なくとも熱交換を行うエレメントを有し、
前記換気装置のファンユニットは、前記エレメントで熱交換された前記給気経路側の空気を給気口を経由して建物内へ送風する給気ファンと、前記エレメントで熱交換された前記排気経路側の空気を排気口を経由して屋外へ排出する排気ファンと、を有し、
前記エレメントユニットと前記ファンユニットとを係脱可能に連結する連結手段を有し、
前記エレメントユニットの側面部に、少なくとも前記エレメントが着脱可能なエレメント着脱口と、前記エレメント着脱口を開閉可能に閉塞するエレメント着脱蓋を設け、
前記ファンユニットの側面部に、少なくとも前記給気ファン及び前記排気ファンが着脱可能なファン着脱口と、前記ファン着脱口を開閉可能に閉塞するファン着脱蓋を設けたことを特徴とする。
【００１１】
ここで、前記エレメントユニット（前記ファンユニット）の側面部とは、前記エレメントユニット（前記ファンユニット）において、前記エレメントユニット（前記ファンユニット）を構成する複数の外面部（外部から目視可能な面部分）のうち、前記換気装置を通常の使用状態に保持したときに水平方向と交差する外面部であって、前記エレメントユニットに内蔵されるエレメント（前記ファンユニットに内蔵される給気ファン及び排気ファン）を挟んで対向する位置にある少なくとも一対の外面部をいう。
【００１２】
このような構成とすれば、エレメントユニットの側面部のエレメント着脱蓋を開くことにより、エレメントはエレメント着脱口を通して出し入れ可能となり、ファンユニットの側面部のファン着脱蓋を開くことにより、給気ファン及び排気ファンはファン着脱口を通して出し入れ可能となるため、エレメントユニット並びにファンユニットの側面部からメンテンナンス作業を行うことができ、メンテナンス性が向上する。
【００１３】
また、連結手段を解除してエレメントユニットとファンユニットとを分離すれば、建物の床面や天井面に設けられた点検口などを通して、エレメントユニットやファンユニットを個別に出し入れ可能となるので、ユニット単位でのメンテナンス性も向上する。
【００１４】
さらに、エレメントユニットとファンユニットとは連結、分離可能であるため、熱交換効率の向上を目的とするエレメントの大型化に起因して換気装置全体が大型化した場合の施工性やメンテナンス性の悪化を回避することができる。
【００１５】
前記換気装置においては、前記連結手段が、前記エレメントユニットと前記ファンユニットとの接合部分を跨いだ状態で前記エレメントユニット及び前記ファンユニットに着脱可能に取り付けられる連結部材であることが望ましい。
【００１６】
このような構成とすれば、簡素な構造でありながら、エレメントユニットとファンユニットとを確実に連結することが可能となり、離脱作業も容易である。
【００１７】
前記換気装置においては、
前記連結手段として、
前記エレメントユニットの前記エレメント着脱口の反対側の側面部と前記ファンユニットの前記ファン着脱口の反対側の側面部との接合部分に付設された差し込み蝶番と、
前記エレメントユニットの前記エレメント着脱口側の側面部と、前記ファンユニットの前記ファン着脱口側の側面部との接合部分を跨いだ状態で前記エレメントユニット及び前記ファンユニットに着脱可能に取り付けられる連結部材と、を設けることができる。
【００１８】
このような構成とすれば、一方の連結部材のネジを緩めて離脱させれば、他方の差し込み蝶番は、工具なしで着脱可能であるため、エレメントユニットとファンユニットとの連結分離作業が容易化する。
【００１９】
前記換気装置においては、前記エレメントユニットに設けられた、前記給気経路の上流側の開口部（外気取入口）の位置若しくは前記排気経路の上流側の開口部（還気口）の位置の少なくとも一方を変更可能とすることができる。
【００２０】
このような構成とすれば、換気装置を設置する場所における給気ダクトや排気ダクトの配管状況に適応した施工を行うことができる。
【００２１】
前記換気装置においては、前記給気ファン及び前記排気ファンを挟持した状態で前記ファンユニット内に装入離脱可能に配置された複数の断熱ケーシングの内部に、前記給気経路及び前記排気経路の一部を設けることができる。
【００２２】
このような構成とすれば、断熱ケーシングの断熱作用によりファンユニット内を流動する空気流の温度変化を防止することができ、他の部材を使用することなく、断熱ケーシングによって前記給気経路及び前記排気経路の一部が形成可能であるため、部品点数の削減を図ることができる。
【００２３】
前記換気装置においては、前記給気ファン及び前記排気ファンを挟持した前記断熱ケーシングを前記ファンユニット内に装入したとき、前記断熱ケーシング内の前記給気経路及び前記排気経路を気密状態に保持する断熱材を前記ファンユニット内に配置し、
前記断熱ケーシングと前記断熱材との対向領域に、前記ファンユニットに対する前記断熱ケーシングの装入方向に沿って傾斜し、前記断熱ケーシングが前記ファンユニット内に装入されたときに互いに密着する傾斜面を設けることができる。
【００２４】
このような構成とすれば、ファンユニットに対する断熱ケーシングの装入離脱作業を容易化することができ、断熱ケーシングをファンユニット内に装入したときの給気経路及び排気経路の気密性を確保することができる。
【００２５】
前記換気装置においては、前記給気ファン及び前記排気ファンの運転制御を行う操作ボックスを、前記エレメントユニットの外面若しくは前記ファンユニットの外面に着脱可能に付設することができる。
【００２６】
このような構成とすれば、操作ボックスがエレメントユニットの外面若しくはファンユニットの外面に位置することにより、施工後、建物の床面や天井面に設けられた点検口を通して操作ボックスの操作が可能となるため、施工後においても建物に適した風量設定などを容易に行うことができ、利便性が向上する。
【００２７】
また、操作ボックスがエレメントユニットの外面若しくはファンユニットの外面に着脱可能であることにより、操作ボックスをエレメントユニット若しくはファンユニットから離れた位置に配置することができるようになるので、例えば、換気装置が、建物の床面や天井に設けられた点検口から離れた場所に設置された場合に、操作ボックスを点検口の近傍に配置することも可能となり、施工現場への対応性が向上する。
【００２８】
前記換気装置においては、前記エレメントユニット及び前記ファンユニットの角隅部に吊り金具を設けることができる。
【００２９】
このような構成とすれば、建物の天井裏空間や小屋裏空間に換気装置を吊り下げ状態で設置する際の施工性が向上する。
【発明の効果】
【００３０】
本発明により、換気風量の増大、熱交換効率の向上を確保しながら、施工性、メンテナンス性にも優れた換気装置を提供することができる。
【図面の簡単な説明】
【００３１】
【図１】本発明の実施形態である換気装置を示す斜視図である。
【図２】図１に示す換気装置を異なる方向から見た斜視図である。
【図３】図１に示す換気装置の平面図である。
【図４】図３中のＡ−Ａ線における一部省略断面図である。
【図５】図１に示す換気装置においてエレメントユニットとファンユニットとを分離した状態を示す斜視図である。
【図６】図１に示す換気装置のエレメントユニットからフィルタを取り出した状態を示す斜視図である。
【図７】図１に示す換気装置のエレメントユニットからフィルタ及びエレメントを取り出した状態を示す斜視図である。
【図８】図１に示す換気装置のエレメントユニット並びにファンユニットから蓋体を取り外した状態を示す斜視図である。
【図９】図１に示す換気装置のファンユニットから蓋体及び断熱ケーシングを取り外した状態を示す斜視図である。
【図１０】ファンユニットに対する断熱ケーシングの着脱過程を示す図である。
【図１１】図１に示す換気装置を床下空間に設置した状態を示す一部省略平面図である。
【図１２】図１１中の矢線Ｆ方向から見た一部省略側面図である。
【図１３】図１２中の矢線Ｇ方向から見た一部省略正面図である。
【図１４】図１１に示す換気装置に対するメンテナンス過程を示す一部省略平面図である。
【図１５】図１１に示す換気装置に対するメンテナンス過程を示す一部省略正面図である。
【図１６】図１に示す換気装置のその他の使用形態を示す斜視図である。
【図１７】図１６に示す換気装置の分解斜視図である。
【図１８】図１６に示す換気装置のその他の使用形態を示す斜視図である。
【図１９】図１６に示す換気装置のその他の使用形態を示す斜視図である。
【図２０】図１９（ｃ）に示す換気装置の一部切欠斜視図である。
【図２１】図２０に示す換気装置の機能を示す一部省略平面図である。
【図２２】その他の実施形態である換気装置を示す斜視図である。
【図２３】図２２に示す換気装置の一部分解斜視図である。
【図２４】図２２に示す換気装置の使用状態を示す図である。
【図２５】本発明のその他の実施形態である換気装置を示す一部省略斜視図である。
【図２６】図２５に示す換気装置を異なる方向から見た一部省略斜視図である。
【図２７】その他の実施形態である換気装置を示す斜視図である。
【図２８】（ａ）は図２７中の矢線Ｂで示す領域の一部省略拡大図であり、（ｂ）は同部分の分解斜視図である。
【図２９】図２７に示す換気装置を天井裏空間に設置した状態を示す一部省略側面図である。
【図３０】図２９に示す換気装置に対するメンテナンス過程を示す、図２９中の矢線Ｈ方向から見た一部省略正面図である。
【図３１】図２９に示す換気装置に対するメンテナンス過程を示す、図２９中の矢線Ｈ方向から見た一部省略正面図である。
【発明を実施するための形態】
【００３２】
以下、図１〜図３１に基づいて、本発明の実施形態である換気装置１，２，３，４について説明する。
【００３３】
初めに、図１〜図１８に基づいて換気装置１について説明する。なお、図１，図３，図４に示すように、換気装置１において、矢線Ｓで示す部分を正面と称し、矢線Ｔで示す部分を背面と称し、矢線Ｌで示す部分を左側面と称し、矢線Ｒで示す部分を右側面と称し、矢線Ｕで示す部分を平面と称し、矢線Ｖで示す部分を底面と称する（以下、同様）。
【００３４】
図１〜図３に示すように、換気装置１は、複数の連結部材９０ａ，９０ｂによって係脱可能に連結されたエレメントユニット１０及びファンユニット５０を有する。エレメントユニット１０のケーシング１１の正面部１１ａには、外気取入口１２並びに還気口１３が設けられている。ファンユニット５０のケーシング５１の背面部５１ａには、給気口１４並びに排気口１５が設けられている。外気取入口１２、還気口１３、給気口１４及び排気口１５にはそれぞれダクトアダプタ９１が着脱可能に取り付けられている。
【００３５】
図４に示すように、換気装置１は、その内部に、屋外の空気を建物内へ取り入れる給気経路Ｘと、建物内の空気を屋外へ排出する排気経路Ｙと、を有する。換気装置１のエレメントユニット１０内には、給気経路Ｘ並びに排気経路Ｙを流動する空気間で熱交換を行うエレメント１６が着脱可能に配置されている。給気経路Ｘ並びに排気経路Ｙにおいてエレメント１６より上流側の位置には、それぞれフィルタ１７，１８が着脱可能に配置されている。
【００３６】
なお、熱交換機能を有するエレメントには、顕熱交換及び潜熱交換を行う全熱交換エレメントと、顕熱交換のみを行う顕熱交換エレメントと、があるが、本実施形態の換気装置１を構成するエレメント１６は全熱交換エレメントである。ただし、これは一例であり、本発明に係る換気装置を構成するエレメントは、全熱交換エレメント若しくは顕熱交換エレメントのいずれか一方に限定するものではない。
【００３７】
換気装置１のファンユニット５０の内部には、エレメント１６で熱交換された給気経路Ｘ側の空気を、給気口１４を経由して建物内へ送風する給気ファン５２と、エレメント１６で熱交換された排気経路Ｙ側の空気を、排気口１５を経由して屋外へ排出する排気ファン５３と、が設けられている給気ファン５２及び排気ファン５３は１台のモータ（図示せず）によって回転駆動されている。
【００３８】
図４に示すように、屋外の空気はエレメントユニット１０の給気口１２から給気経路Ｘに流入し、フィルタ１７及びエレメント１６を通過した後、給気経路Ｘ内を流動してファンユニット５０内へ流入し、給気ファン５２を経由して、給気口１４から建物内へ送り込まれる。
【００３９】
同じく、図４に示すように、建物内の空気はエレメントユニット１０の還気口１３から排気経路Ｙに流入し、フィルタ１８及びエレメント１６を通過した後、排気経路Ｙ内を流動してファンユニット５０内へ流入し、排気ファン５３を経由して、排気口１５から屋外へ排出される。
【００４０】
図５に示すように、換気装置１において、エレメントユニット１０とファンユニット５０とは、複数の連結部材９０ａ，９０ｂによって係脱可能に連結される。連結部材９０ａは、エレメントユニット１０とファンユニット５０との接合部分の左側面部を跨いだ状態で装着され、複数のビス９２（図１，図２参照）を、連結部材９０ａを貫通してケーシング１１，５１に螺着することによって固定されている。連結部材９０ｂも同様に、エレメントユニット１０とファンユニット５０との接合部分の右側面部を跨いだ状態で装着され、複数のビス９２を、連結部材９０ｂを貫通してケーシング１１，５１に螺着することによって固定されている。
【００４１】
図６，図７に示すように、エレメントユニット１０のケーシング１１の左側面部１１ｓには、エレメント１６が着脱可能なエレメント着脱口１１ｂと、エレメント着脱口１１ｂを開閉可能に閉塞するエレメント着脱蓋１９が設けられている。エレメント着脱蓋１９には、フィルタ１７，１８が通過可能な二つのスリット１９ａ，１９ｂを有するフィルタ点検口１９ｃが設けられ、フィルタ点検口１９ｃを開閉するカバー２０がエレメント着脱蓋１９に着脱可能に装着されている。
【００４２】
図８，図９に示すように、ファンユニット５０のケーシング５１の左側面部５１ｓには、ファンセット５４が着脱可能なファン着脱口５１ｂと、ファン着脱口５１ｂを開閉可能に閉塞するファン着脱蓋５５が設けられている。ファンセット５４は、給気ファン５２（図４参照）及び排気ファン５３と、給気ファン５２及び排気ファン５３を回転軸心Ｃに沿って対向する方向から挟持する複数の断熱ケーシング５６，５７と、を備えている。複数の断熱ケーシング５６，５７を対向配置することにより、ファンセット５４の内部に給気経路Ｘの一部及び排気経路Ｙの一部が形成されている。また、給気ファン５２及び排気ファン５３の運転制御を行うための操作ボックス９３が、ファンユニット５０のケーシング５１の左側面部５１ｓのファン着脱蓋５５に着脱可能に付設されている。
【００４３】
なお、前述した、エレメントユニット１０のケーシング１１（ファンユニット５０のケーシング５１）の左側面部１１ｓ（５１ｓ）とは、ファンユニット５０（エレメントユニット１０との接合領域）との接合領域を仮想平面と見做すと、全体が直方体形状をしたエレメントユニット１０（ファンユニット５０）において、エレメントユニット１０（ファンユニット５０）を構成する複数の外面部のうち、図１中の矢線Ｓ方向から見て左側に位置する面部分をいう。
【００４４】
図５に示すように、換気装置１においては、連結部材９０ａ，９０ｂをケーシング１１，５１の接合部分から取り外し、エレメントユニット１０とファンユニット５０とを分離すれば、後述するように、建物の床面４２に設けられた点検口４３（図１１参照）や天井４６に設けられた点検口４７（図２９参照）などを通して、エレメントユニット１０やファンユニット５０を個別に出し入れ可能となるので、ユニット単位でのメンテナンス性が良好である。
【００４５】
また、換気装置１においてエレメントユニット１０とファンユニット５０とは互いに連結、分離可能であるため、熱交換効率の向上を目的としてエレメント１６が大型化され、これに起因して換気装置１全体が大型化した場合の施工性やメンテナンス性の悪化を回避することができる。
【００４６】
さらに、換気装置１においては、エレメントユニット１０とファンユニット５０との連結手段が、エレメントユニット１０のケーシング１１とファンユニット５０のケーシング５１との接合部分を跨いだ状態でケーシング１１，５１に着脱可能に取り付けられる連結部材９０ａ，９０ｂ及び複数のビス９２であるため、簡素な構造でありながら、エレメントユニット１０とファンユニット５０とを確実に連結することが可能であり、離脱作業も容易である。
【００４７】
図６に示すように、換気装置１においては、エレメントユニット１０のエレメント着脱蓋１９に装着されたカバー２０を開くと、フィルタ点検口１９ｃが露出し、スリット１９ａ，１９ｂを通してフィルタ１７，１８が出し入れ可能となるので、フィルタ１７，１８のメンテナンスや交換などを容易に行うことができる。
【００４８】
また、図７に示すように、エレメントユニット１０の左側面部分のエレメント着脱蓋１９を開くと（取り外すと）エレメント着脱口１１ｂが露出し、エレメント１６はエレメント着脱口１１ｂを通して着脱可能となる。このため、後段において、図１１〜図１５に基づいて説明するように、エレメントユニット１０の左側面部分からメンテンナンス作業を行うことができ、メンテナンス性が良好である。
【００４９】
同様に、図８に示すように、ファンユニット５０の左側面部分のファン着脱蓋５５を開くと（取り外すと）ファン着脱口５１ｂが露出し、ファンセット５４はファン着脱口５１ｂを通して着脱可能となるため、ファンユニット５０の左側面部分から、給気ファン５２や排気ファン５３などのメンテンナンス作業を行うことができ、メンテナンス性が良好である。
【００５０】
図９に示すように、換気装置１においては、給気ファン５２及び排気ファン５３を挟持した状態で、ファンユニット５０内に装入離脱可能に配置された複数の断熱ケーシング５６，５７の内部に、給気経路Ｘ及び排気経路Ｙの一部が形成されている。
【００５１】
従って、断熱ケーシング５６，５７の断熱作用によりファンユニット５０内を流動する空気流の温度変化を防止することができ、また、他の部材を使用することなく、断熱ケーシング５６，５７によって給気経路Ｘ及び排気経路Ｙの一部が形成されるため、部品点数の削減を図ることができる。
【００５２】
図９に示すように、換気装置１においては、ファンセット５４（給気ファン５２及び排気ファン５３を挟持した断熱ケーシング５６，５７）をファンユニット５０内に装入したとき、断熱ケーシング５６，５７内の給気経路Ｘ及び排気経路Ｙを気密状態に保持する機能を有する断熱材５８がファンユニット５０のケーシング５１の内面に沿って配置されている。
【００５３】
また、図１０に示すように、ファンセット５４の断熱ケーシング５６，５７と断熱材５８との対向領域に、ファンユニット５０に対する断熱ケーシング５６，５７の装入方向Ｄに沿って傾斜し、断熱ケーシング５６，５７がファンユニット５０内に装入されたときに互いに密着する傾斜面５６ａ，５７ａ，５８ａ，５８ｂが設けられている。
【００５４】
詳しくは、傾斜面５６ａ，５７ａは装入方向Ｄに沿って互いに接近する方向に傾斜し、傾斜面５８ａ，５８ｂは装入方向Ｄに沿って互いに接近する方向に傾斜している。従って、断熱ケーシング５６，５７がファンユニット５０内の所定位置まで装入されたとき、傾斜面５６ａが傾斜面５８ａに密着し、傾斜面５７ａが傾斜面５８ｂに密着する。このとき、断熱ケーシング５６，５７の垂直面５６ｂ，５７ｂが断熱材５８の垂直面５ｂｃに密着する。
【００５５】
図１０に示すように、傾斜面５６ａ，５７ａ，５８ａ，５８ｂを設けたことにより、ファンユニット５０に対する断熱ケーシング５６，５７の装入離脱作業を容易化することができ、断熱ケーシング５６，５７がファンユニット５０内に装入されたときの給気経路Ｘ及び排気経路Ｙの気密性を確保することができる。
【００５６】
一方、傾斜面５６ａ，５７ａ，５８ａ，５８ｂを設けずに、これらの傾斜面が全て装入方向Ｄと平行な平面であったとすると、ファンユニット５０内に装入離脱する過程で、常時、摩擦抵抗が生じるので、出し入れ作業が困難となり、また、出し入れ作業を複数回繰り返すと摩擦によって断熱ケーシング５６，５７及び断熱材５８の摩耗が発生し、装入後の気密性確保も困難となる。
【００５７】
このように、本実施形態の換気装置１においては、傾斜面５６ａ，５７ａ，５８ａ，５８ｂを設けたことにより、断熱ケーシング５６，５７をファンユニット５０内へ挿入離脱するときの摩擦抵抗をなくすことができ、また、ファンユニット５０内への断熱ケーシング５６，５７の装入が完了したとき、断熱ケーシング５６，５７の傾斜面５６ａ，５７ａがファンユニット５０内の傾斜面５８，５８ｂに密着するので高い気密性を確保することができる。
【００５８】
図１〜図３に示すように、換気装置１においては、給気ファン５２及び排気ファン５３の運転制御を行う操作ボックス９３がファンユニット５０の左側面部分のファン着脱蓋５５に付設されている。このため、施工後、建物の床面の点検口を通して操作ボックス９３の調整操作が可能であり、建物に適した風量設定などを行うことができ、利便性に優れている。なお、操作ボックス９３の付設位置はファンユニット５０の左側面部分に限定しないので、エレメントユニット１０の側面部分などに付設することもできる。
【００５９】
次に、図１１〜図１５に基づいて、換気装置１に対するメンテナンス作業などについて説明する。図１１〜図１３は、換気装置１を建物の床下空間４１に設置した状態を示している。換気装置１は建物内の床面４２の下方の基礎４０上に設置され、床面５２に設けられた点検口４３を開くと、エレメントユニット１０のケーシング１１の左側面部１１ｓ並びにファンユニット５０のケーシング５１の左側面部５１ｓが見える状態に設置されている。
【００６０】
従って、作業者が点検口４３を開くと、点検口４３を通して、エレメントユニット１０のケーシング１１の左側面部１１ｓのエレメント着脱蓋１９並びにファンユニット５０のケーシング５１の左側面部５１ｓのファン着脱蓋５５を目視することができ、アクセスも容易である。
【００６１】
このため、図１４，図１５に示すように、エレメントユニット１０のケーシング１１の左側面部１１ｓのエレメント着脱蓋１９を取り外せば、エレメント着脱口１１ｂ（図７参照）からエレメント１６を離脱させたり、装入させたりすることができるので、床面４２の点検口４３側から容易にメンテナンス作業を行うことができ、作業性も良好である。
【００６２】
また、図７に示すカバー２０及びフィルタ１７，１８の着脱作業、図８に示すファン着脱蓋５５及び操作ボックス９３の着脱作業、並びに、図９に示すファンセット５４の着脱作業なども、床面４２の点検口４３側から行うことができるので、これらの部材のメンテナンス作業も容易である。
【００６３】
なお、図１１〜図１５においては、エレメントユニット１０のケーシング１１の左側面部１１ｓ並びにファンユニット５０のケーシング５１の左側面部５１ｓに対してメンテンナンス作業を行う場合について説明しているが、これに限定しないので、換気装置１のケーシング１１，５１の右側面部１１ｃ，５１ｃ（図３参照）部分に、エレメント着脱口１１ｂ及びエレメント着脱蓋１９、ファン着脱口５１ｂ及びファン着脱蓋５５などを設けた場合、点検口４３から換気装置２の右側面部分が見える状態に設置すれば、前述と同様、メンテナンス作業を容易に行うことができる。
【００６４】
次に、図１６，図１７に基づいて、図１に示す換気装置１のその他の使用形態について説明する。図１７に示すように、換気装置１においては、エレメントユニット１０のケーシング１１の正面部１１ａに設けられた外気取入口１２及び還気口１３のほかに、ケーシング１１の右側面部１１ｃ（図３参照）に外気取入口１２ｘが設けられ、ケーシング１１の左側面部１１ｓに還気口１３ｘが設けられている。
【００６５】
図１〜図３に示す使用状態においては、ケーシング１１の正面部１１ａの外気取入口１２及び還気口１３にそれぞれ着脱可能なダクトアダプタ９１が取り付けられ、外気取入口１２ｘ及び還気口１３ｘはそれぞれ着脱可能な閉塞蓋９４によって塞がれているが、図１７に示すように、外気取入口１２及び還気口１３にそれぞれ閉塞蓋９４を取り付け、外気取入口１２ｘ及び還気口１３ｘにそれぞれダクトアダプタ９１を取り付けて、図１６に示す使用状態とすることもできる。
【００６６】
図１６，図１７に示すように、換気装置１においては、エレメントユニット１０のケーシング１１の正面部１１ａに設けられた外気取入口１２並びに還気口１３を、それぞれケーシング１１の右側面部１１ｃ（図３参照）の外気取入口１２ｘ並びに左側面部１１ｓの還気口１３ｘに変更することができる。従って、換気装置１を設置する場所における外気取入ダクトや排気ダクトの配管状況に適応した施工を行うことができる。
【００６７】
また、図１８に示すように、換気装置１においては、操作ボックス９３が、ファンユニット５０のファン着脱蓋５５に対して着脱可能であるため、操作ボックス９３をファンユニット５０から取り外して、離れた位置に配置することもできる。従って、換気装置１が、建物の床面の点検口から離れた場所に設置されたような場合、操作ボックス９３をファンユニット５０から離脱させ、点検口の近傍に配置することも可能であり、施工現場への対応性が良好である。
【００６８】
次に、図８，図９，図１９〜図２１に基づいて、換気装置１のその他の使用形態について説明する。図８，図９に示したように、換気装置１のファンユニット５０内に装入された断熱ケーシング５６の左側面部分には、排気経路Ｙと連通するＵ溝状の切欠き部５６ｃが設けられ、ファン着脱蓋５５には開口部５５ａが開設されている。
【００６９】
図１９（ａ）に示すように、ファン着脱蓋５５がケーシング５１の左側面部５１ｓに取り付けられた状態においては、図２０に示すように、切欠き部５６ｃの一部と開口部５５ａとは同一直線上に位置し、両者は連通状態にあるが、開口部５５ａを閉塞するキャップ９５がファン着脱蓋５５の表面側に着脱可能に装着されているため、開口部５５ａ及び切欠き部５６ｃは外部から遮断され、排気経路Ｙは気密状態に保たれている。
【００７０】
ここで、図１９（ｂ）に示すように、ファン着脱蓋５５からキャップ９５を取り外すと開口部５５ａが表れるので、この開口部５５ａにダクトアダプタ９６を取り付けると、図１９（ｃ）に示す状態となる。なお、開口部５５ａの内径は、給気口１４や排気口１５の内径より小さいので、それに合わせて、ダクトアダプタ９６のサイズもダクトアダプタ９１のサイズより小である。
【００７１】
換気装置１を図１９（ｃ）に示す状態にすると、図２０，図２１に示すように、開口部５５ａは切欠き部５６ｃを介して排気経路Ｙと連通した状態となるので、排気ファン５３の作動により、開口部５５ａに空気吸引作用が生じ、開口部５５ａから吸い込まれた空気は排気ファン５３を経由し、ファンユニット５０内の排気経路Ｙの内部を流動して排気口１５から排出される。
【００７２】
従って、一般住宅のトイレルームや脱衣室などの内部と連通するダクト２１をダクトアダプタ９６に接続すれば、エレメントユニット１０のエレメント１６を通過することなく排気のみを行うことができる。これにより、トイレルームや脱衣室など、別途、局所換気装置が設けられている領域の換気を換気装置１で行う場合、ダクト２１及び開口部５５ａを経由してトイレから吸い込んだ空気に含まれる臭気がエレメント１６に移行するのを回避することができる。
【００７３】
次に、図２２〜図３１に基づいて、その他の実施形態である換気装置２，３，４について説明する。なお、換気装置２，３，４の構成部分において、前述した換気装置１の構成部分と共通する部分については、図１〜図２２中に示す符号と同符号を付して説明を省略する。
【００７４】
図２２，図２３に示すように、換気装置２において、エレメントユニット１０の構成は、図１６に示す換気装置１のエレメントユニット１０と同様であるが、ファンユニット５０のケーシング５１の右側面部５１ｃに給気経路Ｘと連通する開口部５１ｘが開設され、開口部５１ｘにダクトアダプタ９１が取り付けられている。
【００７５】
換気装置２の使い方は限定するものではないが、例えば、図２４に示すような使い方をすることができる。図２４に示すように、給気経路６０の下流側を二つの給気経路６０ａ，６０ｂに分岐させ、一方の給気経路６０ａは流路開閉器６１を経由してエレメントユニット１０のダクトアダプタ９１（エレメント１６より上流側の給気経路Ｘに連通）に接続され、他方の給気経路６０ｂは流路開閉器６２を経由して、ファンユニット５０の開口部５１ｘに取り付けられたダクトアダプタ９１（開口部５１ｘを経由して給気経路Ｘに連通）に接続されている。
【００７６】
冷暖房運転が必要な期間（夏季及び冬季）は、流路開閉器６１を開状態とし、流路開閉器６２を閉状態とする。これにより、給気経路６０，６０ａ内を流動してきた建物外の空気は、流路開閉器６１を通過し、エレメントユニット１０のダクトアダプタ９１から給気口１２を経由して給気経路Ｘに流入し、フィルタ１７（図４参照）並びにエレメント１６を通過して建物内の空気（排気）との間で熱交換された後、エレメントユニット１０の給気経路Ｘ内を流動してファンユニット５０内へ流入し、給気ファン５２を経由して、給気口１４から建物内の空調対象領域に供給される。
【００７７】
一方、冷暖房運転が不要な期間（中間期や、冷房期間中であっても夜間など外気冷房を行う場合）は、流路開閉器６１を閉状態とし、流路開閉器６２を開状態とする。これにより、給気経路６０，６０ｂ内を流動してきた建物外の空気は、流路開閉器６２を通過し、ファンユニット５０のダクトアダプタ９１及び開口部５１ｘを経由してファンユニット５０の給気経路Ｘに流入し、建物内の空気（排気）との間の熱交換過程を経ることなく、給気ファン５２を経由して、給気口１４から建物内の空調対象領域に供給される。
【００７８】
このように、流路開閉器６１，６２の開閉状態を切り替えることにより、冷暖房運転が必要な期間は建物の外部から取り込んだ空気と建物内から回収した空気との間で熱交換を行う運転モードと、冷暖房運転が不要な期間は、建物の外部から取り込んだ空気と建物内から回収した空気との間で熱交換を行わない運転モードと、を切り替えることができる。なお、外気の導入経路などに温度センサ（図示せず）を配置し、温度センサの感知データに基づいて流路開閉器６１，６２の開閉状態を自動的に切り替える機能を設けることもできる。
【００７９】
次に、図２５，図２６並びに図１，図５に基づいて換気装置３について説明する。図２５（ａ），２６（ａ）に示すように、換気装置３においては、エレメントユニット１０とファンユニット５０とを係脱可能に連結する連結手段として、エレメントユニット１０のケーシング１１の右側面部１１ｃと、ファンユニット５０のケーシング５１の右側面部５１ｃとの接合部分に複数の差し込み蝶番５９を付設するとともに、エレメントユニット１０のケーシング１１の左側面部１１ｓと、ファンユニット５０のケーシング５１の左側面部５１ｓとの接合部分を跨いだ状態で連結部材９０ａ（図５参照）を着脱可能に取り付けている。
【００８０】
ここで、ケーシング１１の右側面部１１ｃとは、エレメントユニット１０のケーシング１１においてエレメント着脱口１１ｂ（図８参照）が存在する左側面部１１ｓの反対側に位置する側面部分であり、ケーシング５１の右側面部５１ｃとは、ファンユニット５０のケーシング５１においてファン着脱口５１ｂ（図８参照）が存在する左側面部５１ｓの反対側に位置する側面部分である。
【００８１】
図２５（ａ），図２６（ａ）に示すように、連結部材９０ａ（図５参照）を取り外した後、差し込み蝶番５９を中心に、エレメントユニット１０のケーシング１１の左側面部１１ｓと、ファンユニット５０のケーシング５１の左側面部５１ｓとが離れるように回動させ、エレメントユニット１０とファンユニット５０とを差し込み蝶番５９の軸心方向に沿って互いに逆方向に移動させれば、図２５（ｂ），図２６（ｂ）に示すように、エレメントユニット１０とファンユニット５０とが分離した状態となる。
【００８２】
図２５，図２６に示す換気装置３のような構成とすれば、左側面部分の連結部材９０ａのネジ９２（図１参照）を緩めて離脱させれば、右側面部分の差し込み蝶番５９は、工具なしで着脱可能な状態となるため、エレメントユニット１０とファンユニット５０との連結分離作業が容易である。
【００８３】
次に、図１，図２，図４並びに図２７，図２８に基づいて換気装置４について説明する。図２７に示すように、換気装置４においては、エレメントユニット１０のケーシング１１の底面部１１ｄ側（図４参照）であって正面部１１ａ寄りに位置する二つの角隅部にそれぞれ吊り金具３０が取り付けられ、ファンユニット５０の底面部１１ｄ側（図４参照）であって背面部５１ａ（図２参照）寄りに位置する二つの角隅部にそれぞれ吊り金具３０が取り付けられている。
【００８４】
図２７に示す換気装置４を構成するエレメントユニット１０及びファンユニット５０の構造、機能などは図１，図２に示す換気装置１のエレメントユニット及びファンユニット５０と同様である。また、図２８は、エレメントユニット１０のケーシング１１の正面部１１ａ、左側面部１１ｓ及び底面部１１ｄが集合する角隅部における吊り金具３０の取り付け構造を示しているが、他の三つの角隅部における吊り金具３０の取り付け構造も同様である。
【００８５】
図２８（ｂ）に示すように、吊り金具３０は、平板状の本体部３１と、本体部３１の一部から垂直方向に立設された二つの係止片３２と、を備えている。本体部３１には複数の丸孔３１と、単数の長孔３１ｂとが開設されている。二つの係止片３２はそれぞれの平面方向が互いに直角をなすように立設され、それぞれにビス孔３２ａが開設されている。
【００８６】
図２８（ｂ）に示すように、ケーシング１１の正面部１１ａと底面部１１ｄとの境界部分並びに左側面部１１ｓと底面部１１ｄとの境界部分には、それぞれ、吊り金具３０の係止片３２が差込可能な差込口３４が開設されている。ケーシング１１の正面部１１ａの差込口３４の上方並びに左側面部１１ｓの差込口３４の上方にそれぞれ貫通孔３５が開設されている。
【００８７】
図２８（ｂ）に示すように、吊り金具３０の二つの係止片３２を、それぞれ、ケーシング１１の底面１１ｄ側から差込口３４を経由してケーシング１１内に差し込み、正面部１１ａの貫通孔３５並びに左側面部１１ｓの貫通孔３５を経由してビス３３をケーシング１１内に向かって挿入し、それぞれ、二つの係止片３２のビス孔３２ａに螺着すると、図２８（ａ）に示すように、ケーシング１１の角隅部に吊り金具３０が固定される。
【００８８】
吊り金具３１の丸孔３１ａ、長孔３１ｂには、建築物の天井裏空間において躯体などから垂下された吊り下げ部材４８（後述する図２９参照）などを差し込んで固定することができる。図２７に示す換気装置４は、図２８に示すような吊り金具３０を複数備えているため、建物の天井裏空間や小屋裏空間に換気装置４を吊り下げ状態で設置する際の施工性が良好である。
【００８９】
換気装置４においては、ケーシング１１，５１を形成する鉄板が薄板（例えば、板厚０．６ｍｍ）であるのに対し、吊り金具３０を形成する鉄板は厚板（例えば、板厚１．６ｍｍ）である。このため、板厚の薄いケーシング１１，５１の外側から吊り金具３０を取り付ける場合は、ケーシング１１，５１の裏側に当て板を設けてネジ固定するのが通例であり、当て板を別途用意しなければならない。
【００９０】
しかしながら、本実施形態の換気装置４においては、前述したように、ケーシング１１，５１内に吊り金具３０の係止片３２を差し込むようにするとともに、ビス３３を螺着するためのビス孔３２ａが吊り金具３０に設けられているので、前記当て板が不要であり、施工現場での取り付けが可能である。
【００９１】
また、吊り金具３０が、常時、ケーシング１１，５１に取り付けられた状態であると、吊り金具３０がケーシング１１，５１から外に出っ張るため、輸送の際の梱包も面倒であるという問題があるが、本実施形態の換気装置４においては、ケーシング１１，５１に対する吊り金具３０の取り付け作業を施工現場で実施できるので、前記問題を解消することができる。
【００９２】
次に、図２９〜図３１に基づいて、建物の天井裏空間や小屋裏空間に吊り下げ状態で設置された換気装置４に対するメンテナンス作業などについて説明する。
【００９３】
図２９に示すように、換気装置４は、建物の天井４６の上方の天井裏空間４５において躯体などから垂下された複数の吊り下げ部材４８の下端部分を吊り下げ金具３０の長孔３１ｂ（図２８参照）に差し込んでナット（図示せず）で固定することによって吊下げ状態に保持されている。
【００９４】
図２９，図３０に示すように、換気装置４の下方の天井４６には点検口４７が設けられ、点検口４７の点検扉４７ａを開くと、点検口４７の下方から（室内側から）、換気装置４のエレメントユニット１０のケーシング１１の左側面部１１ｓ並びにファンユニット５０のケーシング５１の左側面部５１ｓが見える状態に設置されている。
【００９５】
従って、作業者が、天井４６の点検口４７の点検扉４７ａを開くと、点検口４７を通して、エレメントユニット１０のケーシング１１の左側面部１１ｓのエレメント着脱蓋１９並びにファンユニット５０のケーシング５１の左側面部５１ｓのファン着脱蓋５５を目視することができ、アクセスも容易である。
【００９６】
このため、図３０，図３１に示すように、エレメントユニット１０のケーシング１１の左側面部１１ｓのエレメント着脱蓋１９を取り外せば、エレメント着脱口１１ｂ（図７参照）からエレメント１６を離脱させたり、装入させたりすることができるので、天井４６の点検口４３側から容易にメンテナンス作業を行うことができ、作業性も良好である。
【００９７】
また、図７に示すカバー２０及びフィルタ１７，１８の着脱作業、図８に示すファン着脱蓋５５及び操作ボックス９３の着脱作業、並びに、図９に示すファンセット５４の着脱作業なども、天井４６の点検口４７側から行うことができるので、これらの部材のメンテナンス作業も容易である。
【００９８】
なお、図２９〜図３０においては、エレメントユニット１０のケーシング１１の左側面部１１ｓ並びにファンユニット５０のケーシング５１の左側面部５１ｓに対してメンテンナンス作業を行う場合について説明しているが、これに限定しないので、換気装置１のケーシング１１，５１の右側面部１１ｃ，５１ｃ（図３参照）部分に、エレメント着脱口１１ｂ及びエレメント着脱蓋１９、ファン着脱口５１ｂ及びファン着脱蓋５５などを設けた場合、天井４６の点検口４７から換気装置４の右側面部分が見える状態に設置すれば、前述と同様、メンテナンス作業を容易に行うことができる。
【００９９】
なお、図１〜図３１に基づいて説明した換気装置１，２，３，４は、本発明に係る換気装置を例示するものであり、本発明に係る換気装置は前述した換気装置１，２，３，４に限定されない。
【産業上の利用可能性】
【０１００】
本発明に係る換気装置は、建物に配備される空調設備あるいは換気設備の一部として建設業などの産業分野において広く利用することができる。
【符号の説明】
【０１０１】
１，２，３，４  換気装置
１０  エレメントユニット
１１，５１  ケーシング
１１ａ  正面部
１１ｂ  エレメント着脱口
５５ａ，５１ｘ  開口部
１１ｃ，５１ｃ  右側面部
１１ｄ，５１ｄ  底面部
１１ｓ，５１ｓ  左側面部
１２，１２ｘ  外気取入口
１３  還気口
１４  給気口
１５  排気口
１６  エレメント
１７，１８  フィルタ
１９  エレメント着脱蓋
１９ａ，１９ｂ  スリット
１９ｃ  フィルタ点検口
２０  カバー
２１  ダクト
３０  吊り金具
３１  本体部
３１ａ  丸孔
３１ｂ  長孔
３２  係止片
３２ａ  ビス孔
３３，９２  ビス
３４  差込口
３５  貫通孔
４０  基礎
４１  床下空間
４２  床面
４３，４７  点検口
４５  天井裏空間
４６  天井
４７ａ  点検扉
４８  吊り下げ部材
５０  ファンユニット
５１ａ  背面部
５１ｂ  ファン着脱口
５２  給気ファン
５３  排気ファン
５４  ファンセット
５５  ファン着脱蓋
５６，５７  断熱ケーシング
５６ａ，５７ａ，５８ａ，５８ｂ  傾斜面
５６ｂ，５７ｂ  垂直面
５６ｃ  切欠き部
５８  断熱材
５９  差し込み蝶番
６０，６０ａ，６０ｂ  給気経路
６１，６２  流路開閉器
９０ａ，９０ｂ  連結部材
９１，９１ｘ，９１ｙ，９６  ダクトアダプタ
９３  操作ボックス
９４  開閉蓋
９５  キャップ
Ｃ  回転軸心
Ｄ  装入方向
Ｘ  給気経路
Ｙ  排気経路
【図１】
2020020522.tif 000003
【図２】
2020020522.tif 000004
【図３】
2020020522.tif 000005
【図４】
2020020522.tif 000006
【図５】
2020020522.tif 000007
【図６】
2020020522.tif 000008
【図７】
2020020522.tif 000009
【図８】
2020020522.tif 000010
【図９】
2020020522.tif 000011
【図１０】
2020020522.tif 000012
【図１１】
2020020522.tif 000013
【図１２】
2020020522.tif 000014
【図１３】
2020020522.tif 000015
【図１４】
2020020522.tif 000016
【図１５】
2020020522.tif 000017
【図１６】
2020020522.tif 000018
【図１７】
2020020522.tif 000019
【図１８】
2020020522.tif 000020
【図１９】
2020020522.tif 000021
【図２０】
2020020522.tif 000022
【図２１】
2020020522.tif 000023
【図２２】
2020020522.tif 000024
【図２３】
2020020522.tif 000025
【図２４】
2020020522.tif 000026
【図２５】
2020020522.tif 000027
【図２６】
2020020522.tif 000028
【図２７】
2020020522.tif 000029
【図２８】
2020020522.tif 000030
【図２９】
2020020522.tif 000031
【図３０】
2020020522.tif 000032
【図３１】
2020020522.tif 000033